【手続補正書】
【提出日】平成28年10月11日(2016.10.11)
【手続補正１】
【補正対象書類名】特許請求の範囲
【補正対象項目名】全文
【補正方法】変更
【補正の内容】
【特許請求の範囲】
【請求項１】
計測装置と、
サーバーと、を備え
前記計測装置は、
生体情報を計測する生体情報計測手段と、
位置情報を計測する位置情報計測手段と、
前記生体情報が所定の生体情報条件に該当するかを判定する生体情報判定部と、
前記生体情報が前記所定の生体情報条件に該当すると判定された場合、前記生体情報が計測された計測時刻に対応する計測時刻情報、および、前記計測時刻情報に対応する位置情報を記憶する計測装置側記憶手段と、
前記計測時刻情報、当該計測時刻情報に対応する位置情報を含む送信情報を前記サーバーに送信する計測装置側送信部と、
前記サーバーから受信した画面情報に基づく画像を表示する計測装置側表示手段と、を備え、
前記サーバーは、
複数の前記計測装置から受信した前記送信情報を記憶するサーバー側記憶手段と、
複数の前記計測装置から受信した前記送信情報に含まれる前記位置情報に対応するスポット情報が地図上に表示されるスポット画面情報を生成する画面情報生成部と、
前記計測装置の要求に基づき、前記画面情報生成部により生成された前記スポット画面情報を含む前記画面情報を前記計測装置に送信するサーバー側送信部と、を備える
ことを特徴とする計測情報管理システム。
【請求項２】
請求項１に記載の計測情報管理システムにおいて、
前記送信情報は、前記計測時刻情報に対応する前記生体情報を含み、
前記計測装置は、当該計測装置の各種操作を実行させる計測装置側操作手段を有し、
前記画面情報生成部は、
前記計測装置から受信した前記送信情報に基づいて、前記生体情報、前記計測時刻情報および前記位置情報を示すイベント確認画面情報を生成し、
前記計測装置側表示手段によって前記イベント確認画面情報に基づくイベント確認画面が表示されている際に、前記計測装置側操作手段において所定の操作が実行されると、前記スポット画面情報を生成することを特徴とする計測情報管理システム。
【請求項３】
請求項１または請求項２に記載の計測情報管理システムにおいて、
前記生体情報は、脈拍数である
ことを特徴とする計測情報管理システム。
【請求項４】
請求項３に記載の計測情報管理システムにおいて、
前記計測装置側記憶手段は、前記生体情報判定部で脈拍数が所定の閾値以上であると判定された場合、前記計測時刻情報を記憶する
ことを特徴とする計測情報管理システム。
【請求項５】
請求項１から請求項４のいずれか一項に記載の計測情報管理システムにおいて、
前記計測装置は、
運動情報を計測する運動情報計測手段と、
前記運動情報が所定の運動情報条件に該当するかを判定する運動情報判定部と、を備え、
前記計測装置側記憶手段は、前記運動情報が前記所定の運動情報条件に該当し、かつ、前記生体情報が前記所定の生体情報条件に該当すると判定された場合、前記計測時刻情報を記憶する
ことを特徴とする計測情報管理システム。
【請求項６】
計測装置と、
前記計測装置と通信する情報機器と、
サーバーと、を備え、
前記計測装置は、
生体情報を計測する生体情報計測手段と、
前記生体情報が所定の生体情報条件に該当するかを判定する生体情報判定部と、
前記生体情報が前記所定の生体情報条件に該当すると判定された場合、前記生体情報が計測された計測時刻に対応する計測時刻情報を記憶する計測装置側記憶手段と、
前記計測時刻情報と、当該計測時刻情報に対応する前記生体情報とを含む送信情報を前記情報機器に送信する計測装置側送信部と、を備え、
前記情報機器は、
位置情報を計測する位置情報計測手段と、
前記サーバーから受信した画面情報に基づく画像を表示する情報機器側表示手段と、
前記送信情報と前記位置情報とを関連付けて記憶する情報機器側記憶手段と、
前記送信情報及び前記位置情報を前記サーバーに送信する情報機器側送信部と、を備え、
前記サーバーは、
複数の前記情報機器から受信した前記送信情報及び前記位置情報を記憶するサーバー側記憶手段と、
複数の前記情報機器から受信した前記位置情報に対応するスポット情報が地図上に表示されるスポット画面情報を生成する画面情報生成部と、
前記情報機器の要求に基づき、前記画面情報生成部により生成された前記スポット画面情報を含む前記画面情報を提供するサーバー側送信部と、を備える
ことを特徴とする計測情報管理システム。
【請求項７】
請求項６に記載の計測情報管理システムにおいて、
前記情報機器は、当該計測装置の各種操作を実行させる情報機器側操作手段を有し、
前記画面情報生成部は、
前記情報機器から受信した前記送信情報及び前記位置情報に基づいて、前記生体情報、前記計測時刻情報および前記位置情報を示すイベント確認画面情報を生成し、
前記情報機器側表示手段によって前記イベント確認画面情報に基づくイベント確認画面が表示されている際に、前記情報機器側操作手段において所定の操作が実行されると、前記スポット画面情報を生成する
ことを特徴とする計測情報管理システム。
【請求項８】
請求項６または請求項７に記載の計測情報管理システムにおいて、
前記生体情報は、脈拍数である
ことを特徴とする計測情報管理システム。
【請求項９】
請求項８に記載の計測情報管理システムにおいて、
前記計測装置側記憶手段は、前記生体情報判定部で脈拍数が所定の閾値以上であると判定された場合、前記計測時刻情報を記憶する
ことを特徴とする計測情報管理システム。
【請求項１０】
請求項６から請求項９のいずれか一項に記載の計測情報管理システムにおいて、
前記計測装置は、
運動情報を計測する運動情報計測手段と、
前記運動情報が所定の運動情報条件に該当するかを判定する運動情報判定部と、を備え、
前記計測装置側記憶手段は、前記運動情報が前記所定の運動情報条件に該当し、かつ、前記生体情報が前記所定の生体情報条件に該当すると判定された場合、前記計測時刻情報を記憶する
ことを特徴とする計測情報管理システム。
【請求項１１】
計測装置と、
前記計測装置と通信する情報機器と、
サーバーと、を備え、
前記計測装置は、
生体情報を計測する生体情報計測手段と、
位置情報を計測する位置情報計測手段と、
前記生体情報が所定の生体情報条件に該当するかを判定する生体情報判定部と、
前記生体情報が前記所定の生体情報条件に該当すると判定された場合、前記生体情報が計測された計測時刻に対応する計測時刻情報、および、前記計測時刻情報に対応する位置情報を記憶する計測装置側記憶手段と、
前記計測時刻情報と、当該計測時刻情報に対応する前記位置情報とを含む送信情報を前記情報機器に送信する計測装置側送信部と、を備え、
前記情報機器は、
前記サーバーから受信した画面情報に基づく画像を表示する情報機器側表示手段と、
前記送信情報を記憶する情報機器側記憶手段と、
前記送信情報をサーバーに送信する情報機器側送信部と、を備え、
前記サーバーは、
複数の前記情報機器から受信した前記送信情報を記憶するサーバー側記憶手段と、
複数の前記情報機器から受信した前記送信情報に含まれる前記位置情報に対応するスポット情報が地図上に表示されるスポット画面情報を生成する画面情報生成部と、
前記情報機器の要求に基づき、前記画面情報生成部により生成された前記スポット画面情報を含む前記画面情報を提供するサーバー側通信部と、を備える
ことを特徴とする計測情報管理システム。
【請求項１２】
請求項１１に記載の計測情報管理システムにおいて、
前記送信情報は、前記計測時刻情報に対応する生体情報を含み、
前記情報機器は、当該計測装置の各種操作を実行させる情報機器側操作手段を有し、
前記画面情報生成部は、
前記情報機器から受信した前記送信情報に基づいて、前記生体情報、前記計測時刻情報および前記位置情報を示すイベント確認画面情報を生成し、
前記情報機器側表示手段によって前記イベント確認画面情報に基づくイベント確認画面が表示されている際に、前記情報機器側操作手段において所定の操作が実行されると、前記スポット画面情報を生成する
ことを特徴とする計測情報管理システム。
【請求項１３】
請求項１２に記載の計測情報管理システムにおいて、
前記生体情報は、脈拍数である
ことを特徴とする計測情報管理システム。
【請求項１４】
請求項１３に記載の計測情報管理システムにおいて、
前記計測装置側記憶手段は、前記生体情報判定部で脈拍数が所定の閾値以上であると判定された場合、前記計測時刻情報を記憶する
ことを特徴とする計測情報管理システム。
【請求項１５】
請求項１１から請求項１４のいずれか一項に記載の計測情報管理システムにおいて、
前記計測装置は、
運動情報を計測する運動情報計測手段と、
前記運動情報が所定の運動情報条件に該当するかを判定する運動情報判定部と、を備え、
前記計測装置側記憶手段は、前記運動情報が前記所定の運動情報条件に該当し、かつ、前記生体情報が前記所定の生体情報条件に該当すると判定された場合、前記計測時刻情報を記憶する
ことを特徴とする計測情報管理システム。
【請求項１６】
生体情報を計測する生体情報計測手段と、
位置情報を取得する位置情報取得手段と、
前記生体情報が所定の生体情報条件に該当するかを判定する生体情報判定部と、
前記生体情報が前記所定の生体情報条件に該当すると判定された場合、前記生体情報が計測された計測時刻に対応する計測時刻情報を記憶する計測装置側記憶手段と、
前記計測時刻情報と、当該計測時刻情報に対応する前記生体情報および前記位置情報とを含む送信情報を送信する計測装置側送信部と、
複数の当該計測装置から受信した前記送信情報に含まれる前記位置情報に対応するスポット情報が地図上に表示されるスポット画面情報に基づく画像を表示する計測装置側表示手段と、を備える
ことを特徴とする計測装置。
【請求項１７】
請求項１６に記載の計測装置において、
当該計測装置の各種操作を実行させる計測装置側操作手段を有し、
前記表示手段は、前記送信情報に基づいて、前記生体情報、前記計測時刻情報および前記位置情報を示すイベント確認画面情報に基づくイベント確認画面が表示されている際に、前記計測装置側操作手段において所定の操作が実行されると、前記スポット画面情報に基づく画像を表示させる
ことを特徴とする計測装置。
【請求項１８】
請求項１６または請求項１７に記載の計測装置において、
前記生体情報は、脈拍数である
ことを特徴とする計測装置。
【請求項１９】
請求項１８に記載の計測装置において、
前記計測装置側記憶手段は、前記生体情報判定部で脈拍数が所定の閾値以上であると判定された場合、前記計測時刻情報を記憶する
ことを特徴とする計測装置。
【請求項２０】
請求項１６から請求項１９のいずれか一項に記載の計測装置において、
運動情報を計測する運動情報計測手段と、
前記運動情報が所定の運動情報条件に該当するかを判定する運動情報判定部と、を備え、
前記計測装置側記憶手段は、前記運動情報が前記所定の運動情報条件に該当し、かつ、前記生体情報が前記所定の生体情報条件に該当すると判定された場合、前記計測時刻情報を記憶する
ことを特徴とする計測装置。
【請求項２１】
請求項１６から請求項２０のいずれか一項に記載の計測装置において、
前記位置情報取得手段は、前記位置情報を計測する位置情報計測手段を含む
ことを特徴とする計測装置。
【請求項２２】
外部から生体情報を含む情報を受信する情報受信部と、
情報機器側表示手段と、
位置情報を計測する位置情報計測手段と、
前記生体情報、前記生体情報の計測時刻を示す時刻情報、および、前記時刻情報に対応する位置情報を関連付けて記憶する情報機器側記憶手段と、
前記情報機器側表示手段は、前記生体情報および前記時刻情報と対応付けられた前記位置情報を、前記情報機器側表示手段に表示される地図上にマーカーを配置することによって表示するとともに、複数の当該情報機器から取得された前記位置情報に対応するスポット情報を前記地図上に表示する
ことを特徴とする情報機器。
【請求項２３】
外部から生体情報および位置情報を受信する情報受信部と、
情報機器側表示手段と、
前記生体情報、前記生体情報の計測時刻を示す時刻情報、および、前記時刻情報に対応する位置情報を関連付けて記憶する情報機器側記憶手段と、を備え、
前記情報機器側表示手段は、前記生体情報および前記時刻情報と対応付けられた前記位置情報を、前記情報機器側表示手段に表示される地図上にマーカーを配置することによって表示するとともに、複数の当該情報機器から取得された前記位置情報に対応するスポット情報を前記地図上に表示する
ことを特徴とする情報機器。
【請求項２４】
請求項２２または請求項２３に記載の情報機器において、
前記生体情報は、脈拍数である
ことを特徴とする情報機器。
【請求項２５】
請求項２２から請求項２４のいずれか一項に記載の情報機器において、
前記生体情報の状態により、前記マーカーの色が異なる
ことを特徴とする情報機器。
【請求項２６】
計測装置側記憶手段と、生体情報を計測する生体情報計測手段とを備える計測装置と、
前記計測装置と通信し、情報機器側記憶手段と、位置情報を計測する位置情報計測手段とを備える情報機器と、
前記情報機器と通信し、サーバー側記憶手段およびサーバー側通信部を備えるサーバーと、を有する計測情報管理システムの計測情報管理方法であって、
前記生体情報が所定の生体情報条件に該当するかを判定する生体情報判定ステップと、
前記生体情報が前記所定の生体情報条件に該当すると判定された場合、前記生体情報が計測された計測時刻に対応する計測時刻情報を前記計測装置側記憶手段に記憶させる記憶制御ステップと、
前記計測時刻情報と、当該計測時刻情報に対応する前記生体情報とを前記情報機器に送信する第１送信ステップと、
前記計測時刻情報と、前記計測時刻情報に対応する前記位置情報と、を含む送信情報を前記サーバーに送信する第２送信ステップと、
複数の前記計測装置から受信した前記送信情報に含まれる前記位置情報に対応するスポット情報が地図上に表示されるスポット画面情報を生成する画面情報生成ステップと、
前記情報機器の要求に基づき、前記スポット画面情報を含む画面情報を前記情報機器に送信する第３送信ステップと、
前記サーバーから送信された前記スポット画面情報に基づく画像を表示させる表示ステップと、を含む
ことを特徴とする計測情報管理方法。
【請求項２７】
請求項２６に記載の計測情報管理方法において、
前記送信情報は、前記計測時刻情報に対応する前記生体情報を含み、
前記表示ステップは、
前記情報機器から受信した前記送信情報に基づいて、前記生体情報、前記計測時刻情報および前記位置情報を示すイベント確認画面情報を表示し、
前記イベント確認画面情報に基づくイベント確認画面が表示されている際に、所定の操作が実行されると、前記スポット画面情報に基づく画像を表示させる
ことを特徴とする計測情報管理方法。
【請求項２８】
請求項２６または請求項２７に記載の計測情報管理方法において、
前記生体情報は、脈拍数である
ことを特徴とする計測情報管理方法。
【請求項２９】
請求項２８に記載の計測情報管理方法において、
前記生体情報判定ステップで脈拍数が所定の閾値以上であると判定された場合、前記計測時刻情報を前記計測装置側記憶手段に記憶させる
ことを特徴とする計測情報管理方法。
【請求項３０】
請求項２６から請求項２９のいずれか一項に記載の計測情報管理方法において、
前記計測装置は、運動情報を計測する運動情報計測手段を備え、
前記運動情報が所定の運動情報条件に該当するかを判定する運動情報判定ステップを備え、
前記記憶制御ステップは、前記運動情報が前記所定の運動情報条件に該当し、かつ、前記生体情報が前記所定の生体情報条件に該当すると判定された場合、前記計測時刻情報を前記計測装置側記憶手段に記憶させる
ことを特徴とする計測情報管理方法。
【請求項３１】
計測装置およびサーバーと通信し、情報機器側記憶手段と、表示手段と、位置情報を計測する位置情報計測手段とを備える情報機器により実行される計測情報管理プログラムであって、
前記計測装置が計測した生体情報が所定の生体情報条件に該当した場合の、前記生体情報が計測された計測時刻を示す計測時刻情報と、前記計測時刻情報に対応する前記生体情報とを、前記計測装置から受信する受信ステップと、
前記計測時刻情報と、当該計測時刻情報に対応する前記位置情報と、を含む送信情報を前記サーバーに送信する送信ステップと、
前記サーバーから受信した画面情報に基づく画像を表示する表示ステップと、を含み、
前記表示ステップは、
複数の当該情報機器から受信した前記送信情報に含まれる前記位置情報に対応するスポット情報が地図上表示されるスポット画面情報に基づく画像を表示する
ことを特徴とする計測情報管理プログラム。
【請求項３２】
請求項３１に記載の計測情報管理プログラムにおいて、
前記送信情報は、前記計測時刻情報に対応する前記生体情報を含み、
前記表示ステップは、
前記送信情報に基づいて、前記生体情報、前記計測時刻情報および前記位置情報を示すイベント確認画面情報を表示し、
前記イベント確認画面情報に基づくイベント確認画面が表示されている際に、所定の操作が実行されると、前記スポット画面情報に基づく画像を表示する
ことを特徴とする計測情報管理プログラム。
【請求項３３】
請求項３１または請求項３２に記載の計測情報管理プログラムにおいて、
前記生体情報は、脈拍数である
ことを特徴とする計測情報管理プログラム。
【請求項３４】
請求項３１から請求項３３のいずれか一項に記載の計測情報管理プログラムにおいて、
前記生体情報および前記計測時刻情報と対応付けられた前記位置情報を、前記表示手段に表示される前記地図上にマーカーを配置することによって表示させる表示制御ステップを含む
ことを特徴とする計測情報管理プログラム。
【請求項３５】
請求項３４に記載の計測情報管理プログラムにおいて、
前記生体情報の状態により、前記マーカーを異なる色で表示させる
ことを特徴とする計測情報管理プログラム。
【手続補正２】
【補正対象書類名】明細書
【補正対象項目名】発明の名称
【補正方法】変更
【補正の内容】
【発明の名称】計測情報管理システム、計測装置、情報機器、計測情報管理方法、および計測情報管理プログラム
【手続補正３】
【補正対象書類名】明細書
【補正対象項目名】０００１
【補正方法】変更
【補正の内容】
【０００１】
本発明は、生体情報を計測する計測情報管理システム、計測装置、情報機器、計測情報管理方法、および計測情報管理プログラムに関する。
【手続補正４】
【補正対象書類名】明細書
【補正対象項目名】０００５
【補正方法】変更
【補正の内容】
【０００５】
本発明の目的は、計測した生体情報を個人や企業が利用できる計測情報管理システム、計測装置、情報機器、計測情報管理方法、および計測情報管理プログラムを提供することにある。